(57)【要約】【課題】ユニット式建物の階間の空間をより高い自由度で利用することのできるユニット式建物の階間構造を提供する。【解決手段】ユニット式建物は、複数の床小梁２５を有する２階の建物ユニット２０ｂと、複数の天井小梁２４を有する１階の建物ユニット２０ａとを上下に隣接させて配置している。このユニット式建物の階間に形成された階間構造は、１階の建物ユニット２０ａの複数の天井小梁２４間を通して天井小梁２４の下端よりも下まで延びるように形成された収納ボックス４０を備える。収納ボックス４０は、浴室ユニット３０の上方に配置されている。【選択図】図１
2010159610.tif 000002
【特許請求の範囲】
【請求項１】
複数の床梁を有する上階ユニットと複数の天井梁を有する下階ユニットとを上下に隣接させて配置したユニット式建物の階間に形成された階間構造であって、
前記下階ユニットの複数の天井梁間を通して上下方向に延び、少なくとも下端部が前記天井梁の下端よりも下に配置可能なケースを備える
ことを特徴とするユニット式建物の階間構造。
【請求項２】
前記下階ユニットの室内空間の天井において他の部分よりも低い低天井部が形成され、
前記ケースは、前記低天井部の上方において前記下階ユニットの天井梁の下端よりも下まで下端部が延びるように形成されている
ことを特徴とする請求項１に記載のユニット式建物の階間構造。
【請求項３】
前記低天井部は前記下階ユニットに組み込まれた浴室ユニットの天井であることを特徴とする請求項２に記載のユニット式建物の階間構造。
【請求項４】
前記ケースは、前記下階ユニットの天井梁の長手方向に沿って移動可能に設けられていることを特徴とする請求項２又は３に記載のユニット式建物の階間構造。
【請求項５】
前記下階ユニットの室内空間の天井に天井開口部が形成され、
前記ケースは、前記天井開口部から下降可能なように設けられている
ことを特徴とする請求項１に記載のユニット式建物の階間構造。
【請求項６】
前記ケースを最も上昇させた状態において、前記ケースの下端が前記天井開口部の下端よりも下に位置することを特徴とする請求項５に記載のユニット式建物の階間構造。
【請求項７】
前記上階ユニットの室内空間の床に床開口部が形成され、
前記ケースは、前記床開口部を通じて前記上階ユニットの室内空間に連通可能なように形成されていることを特徴とする請求項１〜６のいずれか１項に記載のユニット式建物の階間構造。
【請求項８】
前記ケースは前記上階ユニットの複数の床梁、又は前記下階ユニットの複数の天井梁によって支持されていることを特徴とする請求項１〜７のいずれか１項に記載のユニット式建物の階間構造。
【発明の詳細な説明】
【技術分野】
【０００１】
本発明は、上階ユニットと下階ユニットとを上下に隣接させて配置したユニット式建物の階間に形成された階間構造に関する。
【背景技術】
【０００２】
ユニット式建物において２階以上の階の床下に収納庫を設けたものがある（例えば、特許文献１参照）。図６に示すように、この特許文献１に記載のものは、２階の床板１３４に形成された開口部１３５から収納ボックス１４０を床下空間に挿入して、１階の複数の天井小梁１２４の上面に固定された天井下地板１３７ａの上に収納ボックス１４０を載置している。天井小梁１２４の長手方向（紙面に垂直方向）の両端部は、天井小梁１２４に垂直な天井大梁１２２ａに連結されている。
【先行技術文献】
【特許文献】
【０００３】
【特許文献１】特開平７−４２３５６号公報
【発明の概要】
【発明が解決しようとする課題】
【０００４】
ところで、特許文献１に記載のものは、天井小梁１２４の上面に固定された天井下地板１３７ａによって収納ボックス１４０の底部１４０ｃを支持するため、ユニット式建物の階間において収納ボックス１４０として利用できる空間は天井小梁１２４よりも上の範囲に制限される。したがって、ユニット式建物の階間の空間を利用するにあたって、未だ改善の余地を残すものとなっている。
【０００５】
本発明は、上記実情に鑑みてなされたものであり、ユニット式建物の階間の空間をより高い自由度で利用することのできるユニット式建物の階間構造を提供することを主たる目的とするものである。
【課題を解決するための手段】
【０００６】
本発明は、上記課題を解決するために、以下の手段を採用した。
【０００７】
第１の発明は、複数の床梁を有する上階ユニットと複数の天井梁を有する下階ユニットとを上下に隣接させて配置したユニット式建物の階間に形成された階間構造であって、前記下階ユニットの複数の天井梁間を通して上下方向に延び、少なくとも下端部が前記天井梁の下端よりも下に配置可能なケースを備えることを特徴とする。
【０００８】
ユニット式建物では、上階ユニットの複数の床梁と下階ユニットの複数の天井梁との間に隙間が形成されており、床梁および天井梁の高さ方向の幅とこの隙間とを合わせた空間が階間に形成されている。
【０００９】
第１の発明によれば、前記下階ユニットの複数の天井梁間を通してケースが上下方向に延び、少なくとも下端部が前記天井梁の下端よりも下に配置される構成であるため、ユニット式建物の階間において利用できる空間が天井梁よりも上の範囲に制限されることがない。その結果、天井梁の下端よりも下の空間まで利用できるため、ユニット式建物の階間の空間をより高い自由度で利用することができる。なお、ケースは、天井梁の下端よりも下方に突出した状態で固定される構成以外に、設置状態での移動により天井梁の下端部よりも下方に突出した状態となる構成を含む。上記ケースは、蓄電池、空調機器、収納ボックス，可動式の棚，電子機器等の筐体，植物を栽培する植栽ユニット，掘ごたつの堀部分，サービスヤード，上階の玄関たたき等、任意の用途に利用することができる。
【００１０】
第２の発明は、第１の発明において、前記下階ユニットの室内空間の天井において他の部分よりも低い低天井部が形成され、前記ケースは、前記低天井部の上方において前記下階ユニットの天井梁の下端よりも下まで下端部が延びるように形成されていることを特徴とする。
【００１１】
第２の発明によれば、前記下階ユニットの室内空間の天井には、同天井の他の部分よりも低い低天井部が形成されているため、この低天井部の上方であって天井梁までの領域には天井の他の部分の上方よりも大きな空間が形成される。そして、前記ケースは、前記低天井部の上方において前記下階ユニットの天井梁の下端よりも下まで下端部が延びるように形成されているため、低天井部の上方の空間内までケースの利用範囲を拡大することができる。その結果、ユニット式建物の階間に形成される空間を積極的に利用することができる。
【００１２】
例えば下階ユニットに浴室ユニットを組み込み、その際に浴室床面と脱衣所床面とを略面一とする場合には、下階ユニットの梁や柱の間から浴室ユニットを挿入して、浴室ユニットを支持する梁等の高さまで浴室ユニットを下降させることとなる。このため、下階ユニットの室内空間の天井において、浴室ユニットの天井は他の部分よりも低くなることが多い。
【００１３】
この点、第３の発明は、第２の発明において、前記低天井部は前記下階ユニットに組み込まれた浴室ユニットの天井であるため、浴室ユニットの天井の上方に形成される空間を積極的に利用してケースの利用範囲を拡大することができる。
【００１４】
特に、ケースが浴室ユニットの上方に設けられる場合には、浴室内の熱や湯船の湯を利用することが容易となる。このため、常温以上で使用されることが望ましい機能ユニットを設けるのに適しており、ケースを植栽ユニットとして利用したり、電力を供給・充電する蓄電池の収納庫として利用したり、生ごみ処理ユニットとして利用することが有効である。
【００１５】
下階ユニットの室内空間に形成された低天井部の上方にケースが設けられる場合には、室内空間の天井としての低天井部はケースよりも下に位置している。このため、下階ユニットの天井梁の下端よりも下まで延びるように形成されたケースを天井梁の長手方向に沿って移動可能に設ける場合であっても、ケースの通路を天井に形成する必要がない。
【００１６】
この点、第４の発明は、第２又は第３の発明において、前記ケースは、前記下階ユニットの天井梁の長手方向に沿って移動可能に設けられているため、下階ユニットの天井梁の下端よりも下までケースの利用範囲を拡大しつつ、天井梁の長手方向に沿ってケースを移動させて使用することができる。
【００１７】
第５の発明は、第１の発明において、前記下階ユニットの室内空間の天井に天井開口部が形成され、前記ケースは、前記天井開口部から下降可能なように設けられているため、階間に設けられたケースを天井梁の下端よりも下まで移動させることができる。その結果、階間の空間を高い自由度で利用することができる。特に、下階ユニットの室内空間の天井が２段に形成され、２段の天井のうち落天井に天井開口部が形成されている場合には、落天井の上の空間によりケースの利用範囲を拡大することができるとともに、ケースを低い位置に設けることができる。その結果、ケースを使用する際の利便性を向上させることができる。
【００１８】
下階ユニットの室内空間の天井付近は、実質的に利用されない空間となっている。このため、天井付近に何か物が配置されていたとしても、建物の利用に際して支障を来たすことは少ない。
【００１９】
この点、第６の発明は、第５の発明において、前記ケースを最も上昇させた状態において、前記ケースの下端が前記天井開口部の下端よりも下に位置するため、実質的に利用されない空間によりケースの利用範囲を拡大することができる。
【００２０】
第７の発明は、第１〜第６のいずれかの発明において、前記上階ユニットの室内空間の床に床開口部が形成され、前記ケースは、前記床開口部を通じて前記上階ユニットの室内空間に連通可能なように形成されているため、上階ユニットの室内空間からケースを利用することができる。その結果、上階ユニットの床から下階ユニットの天井梁の下端よりも下まで大きな空間を利用することができる。特に、前記下階ユニットの室内空間の天井に天井開口部が形成され、前記ケースは、前記下階ユニットの複数の天井梁間を通して前記天井開口部から下降可能なように設けられているといった第５の発明の構成を備える場合には、上階ユニットの室内空間から下階ユニットの室内空間までを貫通させて高い自由度で利用することができる。
【００２１】
特に、植栽ユニットの植物を栽培する鉢としてケースが利用される場合には、下階ユニットの天井梁の下端よりも下までケースが延びるように形成されることにより、土壌部分をより下方に設けて植栽ユニット内の土壌の上面を低くすることができる。その結果、植栽ユニットが床面上に設置されている場合と比較して、植栽ユニットで栽培する植物を観賞し易くなる。また、このようにケースを植栽ユニットとして利用する際には、ケース内の換気を行う換気機構を設けたり、ケースの上方に採光窓を設けたり、ガラス等の可視仕切り壁を設けたりすることが望ましい。
【００２２】
第８の発明は、第１〜第７のいずれかの発明において、前記ケースは前記上階ユニットの複数の床梁、又は前記下階ユニットの複数の天井梁によって支持されているため、これらの床梁または天井梁を利用してケースを支持することができる。また、ケースを構造体によって支持することで重量のあるものに利用することが可能となる。さらに、一般に床梁は天井梁よりも剛性が高いため、上階ユニットの複数の床梁によってケースを支持した場合には、天井梁によってケースを支持する場合と比較して、より確実にケースを支持することができる。
【図面の簡単な説明】
【００２３】
【図１】第１の実施形態において１階の建物ユニットと２階の建物ユニットとを示す縦断面図。
【図２】１階の建物ユニットと２階の建物ユニットとの間の階間構造を示す斜視図。
【図３】ユニット式建物の概要を示す斜視図。
【図４】（ａ）は浴室用の建物ユニットの骨格を示す斜視図、（ｂ）はこの建物ユニットの床部分の平面図。
【図５】第２の実施形態において１階の建物ユニットと２階の建物ユニットとを示す縦断面図。
【図６】１階の建物ユニットと２階の建物ユニットとの間の階間構造の従来例を示す縦断面図。
【発明を実施するための形態】
【００２４】
（第１の実施形態）
以下に、第１の実施形態について図面を参照しつつ説明する。本実施形態では、建物としてユニット式建物を採用している。図３は、ユニット式建物の概要を示す斜視図である。
【００２５】
図３に示すように、建物１０は、基礎１１上に配設される建物本体１２と、この建物本体１２の上方に配設される屋根１３とにより構成されている。建物本体１２は、一階部分１４と二階部分１５とからなる二階建て建物であり、建物本体１２の一階部分１４には、居住者が入浴するための浴室１６が設けられている。
【００２６】
建物本体１２は、複数の建物ユニット２０が連結されることにより構成されている。そして、これら各建物ユニット２０の中には、浴室１６を構成するための浴室用の建物ユニット２０ａ（下階ユニット）と、その上に配置される建物ユニット２０ｂ（上階ユニット）とが含まれている。以下、この浴室用の建物ユニット２０ａについて説明する。
【００２７】
まず、浴室用の建物ユニット２０ａの骨格について図４に基づいて説明する。なお、図４（ａ）は浴室用の建物ユニット２０ａにおける骨格を示す斜視図であり、（ｂ）はこの建物ユニット２０ａの床部分の平面図である。
【００２８】
図４（ａ）に示すように、浴室用の建物ユニット２０ａでは、その四隅に柱２１が配され、長辺の天井大梁２２ａ及び短辺の天井大梁２２ｂにより各柱２１の上端部が連結され、長辺の床大梁２３ａ及び短辺の床大梁２３ｂにより各柱２１の下端部が連結されている。そして、それらの柱２１、天井大梁２２ａ，２２ｂ及び床大梁２３ａ，２３ｂにより直方体状の骨格（フレーム）が形成されている。柱２１は四角筒状の角形鋼よりなる。また、天井大梁２２ａ，２２ｂ及び床大梁２３ａ，２３ｂは四角筒の１つの面が開口した溝形鋼よりなり、その開口部を水平方向の内側に向けて配置されている。
【００２９】
建物ユニット２０ａの相対する長辺の天井大梁２２ａの間には、複数の天井小梁２４が所定間隔で架け渡されている。天井小梁２４の長手方向の両端部は、長辺の天井大梁２２ａの内側面において下部に連結されている。天井小梁２４は四角筒の１つの面が開口した溝形鋼よりなる。建物ユニット２０ａには、図４（ｂ）に示すように、浴室ユニット３０が組み込まれる浴室スペースＳ１と、それに隣接する脱衣所スペースＳ２とが設けられており、その脱衣所スペースＳ２に相当する部位には長辺の床大梁２３ａ間に複数の床小梁２５が所定の間隔で架け渡されている。床小梁２５は、四角筒状の角形鋼よりなる支持部材である。各床小梁２５の長手方向の両端部は、長辺の床大梁２３ａの内側面において上部に連結されている。これに対して、浴室スペースＳ１に相当する部位には、複数の受小梁２７が所定の間隔で架け渡されている。受小梁２７は、四角筒状の角形鋼よりなる支持部材である。各受小梁２７の長手方向両端部は、長辺の床大梁２３ａの内側面において下部に連結されている。すなわち、受小梁２７の上面の高さ位置が床大梁２３ａ，２３ｂ及び床小梁２５の上面よりも低く設定されている。
【００３０】
なお、建物本体１２において、浴室用の建物ユニット２０ａは受小梁２７の部分のみが他の建物ユニット２０と相違している。すなわち、浴室用の建物ユニット２０ａ以外の建物ユニット２０（建物ユニット２０ｂを含む）では、受小梁２７の部分も床小梁２５によって構成されている。
【００３１】
次に、１階の浴室用の建物ユニット２０ａとその上に配置された２階の建物ユニット２０ｂとの構成について図１に基づいて説明する。なお、図１は図４（ｂ）の１−１線断面図である。
【００３２】
図１に示すように、基礎１１の上に１階の建物ユニット２０ａ（下階ユニット）が配置され、その上に隣接して２階の建物ユニット２０ｂ（上階ユニット）が配置されている。このため、１階の建物ユニット２０ａの各天井大梁２２ａ，２２ｂに対向して上方に２階の建物ユニット２０ｂの各床大梁２３ａ，２３ｂがそれぞれ位置している。これらの天井大梁２２ａ，２２ｂと床大梁２３ａ，２３ｂとの間には、１階の建物ユニット２０ａと２階の建物ユニット２０ｂとを上記各柱２１の端部で連結する構造によって隙間が形成されている。また、１階の建物ユニット２０ａの各天井小梁２４に対向して上方に２階の建物ユニット２０ｂの各床小梁２５が位置している。天井小梁２４は等間隔で平行に延びており、その上方において床小梁２５が等間隔で平行に延びている。すなわち、建物１０では、２階の建物ユニット２０ｂの複数の床小梁２５と１階の建物ユニット２０ａの複数の天井小梁２４との間に隙間が形成されており、床小梁２５および天井小梁２４の高さ方向の幅とこの隙間とを合わせた空間Ｓが階間に形成されている。なお、「Ｓ．Ｌ」は、１階の建物ユニット２０ａと２階の建物ユニット２０ｂとの境界線であり、「ＤＬ」は、同じ階において横に隣接する建物ユニットの境界線である。
【００３３】
ここで、天井小梁２４の長手方向の両端部は、長辺の天井大梁２２ａの内側面において下部に連結され、床小梁２５の長手方向の両端部は、長辺の床大梁２３ａの内側面において上部に連結されている。このため、天井小梁２４の下面は天井大梁２２ａ，２２ｂの下面よりも下に位置しており、床小梁２５の上面は床大梁２３ａ，２３ｂの上面よりも上に位置している。したがって、天井大梁２２a及び床大梁２３ａの高さ方向の幅、それら各大梁２２ａ，２３ａの隙間の幅、天井小梁２４の下面が天井大梁２２ａの下面よりも下に位置する分の幅、及び床小梁２５の上面が床大梁２３ａの上面よりも上に位置する分の幅を合計して、天井小梁２４の下面から床小梁２５の上面まで階間の空間Ｓが形成されている。この階間の空間において、隣り合う天井小梁２４の間と、隣り合う床小梁の間とには構造体が設けられていないため、それらの間を上下に貫通させることが可能である。また、天井大梁２２ｂとそれに最も近い天井小梁２４との間と、床大梁２３ｂとそれに最も近い床小梁２５との間とには構造体が設けられていないため、それらの間を上下に貫通させることが可能である。換言すれば、これらの梁２２ｂ，２４の間と、梁２３ｂ，２５の間とに物体を通すことが可能であり、このように物体を通すことのできる領域は天井小梁２４及び床小梁２５の長手方向に沿って延びている。
【００３４】
２階の建物ユニット２０ｂにおいて、各床大梁２３ａ，２３ｂの上には床根太３１が配設され、床根太３１の上面と床小梁２５の上面とは略同じ高さとなっている。これら床根太３１及び床小梁２５の上面には、床下地材３２や床仕上げ材３４が敷設されている。１階の建物ユニット２０ａにおいて、各天井大梁２２ａ，２２ｂの下には天井野縁３９が配設され、天井野縁３９の下面と天井小梁２４の下面とは略同じ高さとなっている。これら天井野縁３９及び天井小梁２４の下面には、天井材３７が固定されて天井大梁２２ａ，２２ｂ及び天井小梁２４によって支持されている。また、これらの建物ユニット２０ａ，２０ｂには内壁材３６が適宜設置されている。
【００３５】
１階の建物ユニット２０ａには、浴室１６を形成する浴室ユニット３０が組み込まれている。浴室ユニット３０は、建物ユニット２０ａの長手方向における屋外側に配置されている。建物ユニット２０ａには、この浴室ユニット３０に隣接して脱衣室１７が設けられている。
【００３６】
脱衣室１７が形成される脱衣所スペースＳ２においては、２階の建物ユニット２０ｂと同様にして、床根太３１及び床小梁２５の上面に床下地材３２や床仕上げ材３４が敷設されている。浴室１６が形成される浴室スペースＳ１においては、  浴室ユニット３０が受小梁２７上に設置されている。具体的には、浴室ユニット３０は、その一部が床大梁２３ａ，２３ｂ及び床小梁２５の上面よりも下方に落とし込まれた状態で受小梁２７上に設置されている。
【００３７】
ここで、１階の浴室用の建物ユニット２０ａに浴室ユニット３０を組み込むことができるように、浴室ユニット３０の高さ寸法Ｈは天井小梁２４と床大梁２３ａ，２３ｂとの離間距離Ｌよりも短くされている。そして、建物ユニット２０ａに浴室ユニット３０を組み込む際には、上記柱２１の間において天井小梁２４と床大梁２３ａ，２３ｂとの間から浴室ユニット３０を水平に挿入して、浴室ユニット３０を支持する受小梁２７の上面の高さまで浴室ユニット３０を下降させる。このため、浴室ユニット３０の天井３７ａは脱衣室１７の天井３７ｂよりも低くなっている。すなわち、１階の建物ユニット２０ａの室内空間（浴室１６及び脱衣室１７）の天井において、浴室ユニット３０の天井３７ａは他の部分（脱衣室の天井３７ｂ）よりも低い低天井部を構成している。この浴室ユニット３０の天井３７ａの上方には、脱衣室１７の天井３７ｂの上方よりも大きな空間が形成されている。このため、浴室ユニット３０の天井３７ａから脱衣室１７の天井３７ｂまでの空間が階間の空間Ｓに付加されている。
【００３８】
本実施形態では、床下地材３２及び床仕上げ材３４には、収納ボックス４０を下方に通すための床開口部３５が形成されている。このため、この床開口部３５から収納ボックス４０を階間の空間に設置することができる。すなわち、収納ボックス４０は、床開口部３５を通じて２階の建物ユニット２０ｂの室内空間に連通可能になっている。床開口部３５には蓋（図示せず）が設けられ、収納ボックス４０に物を出し入れしないときには蓋が閉じられている。
【００３９】
浴室ユニット３０の天井３７ａの上方において、１階の建物ユニット２０ａの天井小梁２４間を通して建物ユニット２０ａの天井小梁２４の下端よりも下まで延びるように収納ボックス４０（ケース）が形成されている。このため、浴室ユニット３０の天井３７ａ及び脱衣室１７の天井３７ｂで構成される室内空間の各天井を平坦に維持したまま収納ボックス４０を下方に延ばして形成することができる。天井材３７には、収納ボックス４０を下方に通すための天井開口部３８が形成されている。収納ボックス４０は天井材３７の下面（脱衣室の天井３７ｂ）よりも下まで延びるように形成されており、収納ボックス４０の底部４０ｃは天井材３７の下面（脱衣室の天井３７ｂ）よりも低く且つ浴室ユニット３０の上面３０ａよりも高い位置に設けられている。なお、浴室ユニット３０の上方に天井材３７が設けられていない場合には、収納ボックス４０を通すための天井開口部３８を天井材３７に形成する必要がない。
【００４０】
収納ボックス４０を含めて、１階の建物ユニット２０ａと２階の建物ユニット２０ｂとの間の階間構造について図２を参照して詳細に説明する。
【００４１】
収納ボックス４０は、隣り合う天井小梁２４の間と、隣り合う床小梁２５の間とに入る幅で形成されている。具体的には、収納ボックス４０は上面が開口した直方体状に形成されており、天井小梁２４（床小梁２５）の配列方向の幅、すなわち天井小梁２４（床小梁２５）に垂直な面４０ａの水平方向の幅は、隣り合う天井小梁２４（床小梁２５）の間隔よりも若干小さく形成されている。収納ボックス４０は、天井小梁２４（床小梁２５）の長手方向の幅、すなわち天井小梁２４及び床小梁２５の側面に平行な面４０ｂの水平方向の幅は、収納ボックス４０に必要な収納容量に応じて適宜設定されている。収納ボックス４０は、天井小梁２４の間を通して天井小梁２４の下端よりも下まで延びるように形成されている。このため、収納ボックス４０の底部４０ｃは天井小梁２４の下端よりも下に位置している。
【００４２】
収納ボックス４０には、隣り合う床小梁２５の間隔に対応するように離間した平行なアングル４２が取付けられている。アングル４２は収納ボックス４０の上部に取付けられており、アングル４２よりも上方に収納ボックス４０が出ることが抑制されている。アングル４２の鉛直方向に延びる垂直部４２ｂが収納ボックス４０の上記面４０ｂに平行に固定されており、アングル４２の水平方向に延びる垂直部４２ａは面４０ｂに対して垂直に外側へ延びている。このため、アングル４２の垂直部４２ａが床小梁２５の上面によって支持されており、垂直部４２ｂが床小梁２５の内側面に当接している。したがって、このように収納ボックス４０を床小梁２５によって支持した状態で、床小梁２５の長手方向に収納ボックス４０をスライドさせることができる。このとき、アングル４２が床小梁２５によってガイドされ、床小梁２５は収納ボックスを移動させるレールとして機能する。なお、このように収納ボックス４０を床小梁２５の長手方向に移動させて使用する場合には、床小梁２５の長手方向に沿って延びるように、上記天井材３７と、上記床下地材３２及び床仕上げ材３４とに、上記天井開口部３８と床開口部３５とがそれぞれ形成され、この床開口部３５に応じた蓋が設けられる。
【００４３】
アングル４２を床小梁２５に固定することができるように、アングル４２には所定のピッチで貫通孔４２ｈが形成されている。そして、この貫通孔２５ｈを通じて床小梁２５の上面にタッピングねじ４４をねじ込むことにより、床小梁２５に収納ボックス４０が固定されている。なお、タッピングねじ４４を省略して、タッピングねじ４４で固定しない状態で収納ボックス４０を使用することもできる。この場合であっても、アングル４２の鉛直方向に延びる垂直部４２ｂが床小梁２５の内側面に当接した状態で、水平方向に延びる垂直部４２ａが床小梁２５の上面によって支持されているため、収納ボックス４０が床小梁２５から外れることが抑制される。
【００４４】
以上、詳述した本実施形態によれば、以下の優れた効果が得られる。
【００４５】
１階の建物ユニット２０ａの天井小梁２４間を通して天井小梁２４の下端よりも下まで延びるように形成された収納ボックス４０を備えるため、ユニット式建物の階間において利用できる空間が天井小梁２４よりも上の範囲に制限されることがない。その結果、天井小梁２４の下端よりも下の空間まで利用できるため、ユニット式建物の階間の空間をより高い自由度で利用することができる。
【００４６】
１階の浴室用の建物ユニット２０ａに浴室ユニット３０を組み込み、その際に浴室１６の床面と脱衣室１７の床面とを略面一とする場合には、建物ユニット２０ａの梁や柱の間から浴室ユニット３０を挿入して、浴室ユニット３０を支持する受小梁２７の上面の高さまで浴室ユニット３０を下降させることとなる。このため、建物ユニット２０ａの室内空間（浴室１６及び脱衣室１７）の天井において、浴室ユニット３０の天井３７ａは脱衣室１７の天井３７ｂよりも低くなっている。
【００４７】
このため、この浴室ユニット３０の天井３７ａの上方には脱衣室１７の天井３７ｂの上方よりも大きな空間が形成される。そして、収納ボックス４０は、浴室ユニット３０の天井３７ａの上方において、１階の建物ユニット２０ａの天井小梁２４間を通して天井材３７の下面（脱衣室１７の天井３７ｂ）よりも下まで延びるように形成されているため、浴室ユニット３０の天井３７ａの上方の空間内まで収納ボックス４０の利用範囲を拡大することができる。その結果、ユニット式建物の階間に形成される空間を積極的に利用することができる。
【００４８】
１階の建物ユニット２０ａの室内空間に形成された低天井部（浴室ユニット３０の天井３７ａ）の上方に収納ボックス４０が設けられる場合には、室内空間の天井としての浴室ユニット３０の天井３７ａは収納ボックス４０よりも下に位置している。そして、床小梁２５の長手方向に沿って延びるように、天井材３７と、床下地材３２及び床仕上げ材３４とに、天井開口部３８と床開口部３５とがそれぞれ形成されている。そして、収納ボックス４０は、建物ユニット２０ａの天井小梁２４の長手方向に沿って移動可能に設けられているため、建物ユニット２０ａの天井小梁２４の下端よりも下まで収納ボックス４０の利用範囲を拡大しつつ、天井小梁２４の長手方向に沿って収納ボックス４０を移動させて使用することができる。なお、浴室ユニット３０の上方に天井材３７が設けられていない場合には、収納ボックス４０の通路としての天井開口部３８を天井材３７に形成する必要がない。
【００４９】
２階の建物ユニット２０ｂにおいて床下地材３２及び床仕上げ材３４に床開口部３５が形成され、収納ボックス４０は、床開口部３５を通じて２階の建物ユニット２０ｂの室内空間に連通可能なように形成されているため、２階の建物ユニット２０ｂの室内空間から収納ボックス４０を利用することができる。その結果、２階の建物ユニット２０ｂの床から１階の建物ユニット２０ａの天井小梁２４の下端よりも下まで大きな空間を利用することができる。
【００５０】
収納ボックス４０は２階の建物ユニット２０ｂの複数の床小梁２５によって支持されているため、建物ユニット２０ｂの有する複数の床小梁２５を利用して収納ボックス４０を支持することができる。さらに、床小梁２５は角形鋼であり溝形鋼の天井小梁２４よりも剛性が高いため、天井小梁２４によって収納ボックス４０を支持する場合と比較して、より確実に収納ボックス４０を支持することができる。
【００５１】
２階の建物ユニット２０ｂの隣り合う床小梁２５の間隔に対応するように離間した平行なアングル４２が収納ボックス４０に取付けられ、アングル４２の一方の垂直部４２ａが床小梁２５の上面によって支持されているため、収納ボックス４０にアングル４２を取付けた簡素な構成により床小梁２５を利用して収納ボックス４０を支持することができる。さらに、収納ボックス４０は、１階の建物ユニット２０ａの天井小梁２４の長手方向に沿って移動可能に設けられているため、アングル４２の一方の垂直部４２ａで収納ボックス４０を支持しつつ、天井小梁２４の長手方向に沿って収納ボックス４０を移動させることができる。
【００５２】
（第２の実施形態）
以下に、第２の実施形態について、第１の実施形態との相違点を中心に図面を参照しつつ説明する。なお、第１の実施形態と同一の部材については同一の符号を付することにより説明を省略する。本実施形態では、１階の建物ユニット２０ｃと２階の建物ユニット２０ｄとが共に、第１の実施形態の建物ユニット２０ｂと同様に通常の建物ユニット２０で構成されている。このため、１階の建物ユニット２０ｃの床付近の構造は、２階の建物ユニット２０ｄの床付近の構造と同様である（図示略）。
【００５３】
本実施形態では、図５（ａ）に示すように、１階の建物ユニット２０ｃにおいて室内空間１８の天井が天井３７ｃと落天井３７ｄとの２段に形成されている。このため、落天井３７ｄの上方には、天井３７ｃの上方よりも大きな空間が形成されている。すなわち、落天井３７ｄから天井３７ｃまでの空間が階間の空間Ｓに付加されている。
【００５４】
天井３７ｃに天井開口部３８ａが形成され、落天井３７ｄに天井開口部３８ｂが形成されている。これらの天井開口部３８ａ，３８ｂは、天井小梁２４と上下に重ならないよう開口しており、隣り合う天井小梁２４の間部分の下方において天井材３７に開口している。このため、天井小梁２４の間を通して天井開口部３８ａ，３８ｂから種々のケースを下降させることができる。
【００５５】
天井３７ｃの天井開口部３８ａには、天井小梁２４の間と天井開口部３８ａとを通すことのできる棚５０（ケース）が設けられている。具体的には、棚５０は、上部の上板５０ｄと、中間の中板５０ｅと、下部の有底筒状の底部５０ａと、これらを連結する支柱５０ｆとから構成されている。これらの上板５０ｄ，中板５０ｅ，底部５０ａは、平面視において天井開口部３８ａと略等しい形状を有している。
【００５６】
棚５０の底部５０ａは、天井開口部３８ａを塞ぐことのできる有底筒状に形成されている。すなわち、底部５０ａは、その下面５０ｃの形状が天井開口部３８ａの形状に略等しく形成されるとともに、棚５０を最も上昇させた状態において側面５０ｂの上端が天井３７ｃよりも高くなっている。このため、室内空間１８の空気が天井開口部３８ａから逃げることが抑制されている。また、棚５０を最も上昇させた状態において、底部５０ａの下面５０ｃは天井開口部３８ａの下端よりも下に位置している。
【００５７】
上板５０ｄの上面には、棚５０を上下に移動させるための伸縮機構５２が連結されている。伸縮機構５２は、上下に伸縮して棚５０を上下に移動させるとともに、棚５０の高さを維持することができる。伸縮機構５２の上端は２階の建物ユニット２０ｄの床小梁２５によって支持された支持板５１に連結されている。支持板５１は、隣り合う床小梁２５に掛け渡されており、水平状態に配置された床小梁２５によって水平に支持されている。このため、伸縮機構５２は支持板５１を基準として鉛直に棚５０を移動させることが容易となる。棚５０の底部５０ａには棚５０を引き下げるときに用いる掛け金具（図示せず）が取付けられている。なお、図５（ａ）は棚５０を最も上昇させた状態を示し、図５（ｂ）は棚５０を最も下降させた状態を示している。
【００５８】
また、天井３７ｄの天井開口部３８ｂには、天井小梁２４の間と天井開口部３８ｂとを通すことのできる筐体６０（ケース）が設けられている。具体的には、天井開口部３８ｂは矩形状に開口しており、筐体６０は天井開口部３８ｂに対応した矩形状の底面６０ｃを有する有底四角筒状に形成されている。筐体６０を最も上昇させた状態において、底面６０ｃは天井開口部３８ｂの下端と略同一の高さとなっている。このため、室内空間１８の空気が天井開口部３８ｂから逃げることが抑制されるとともに、筐体６０を目立たないようにすることができる。
【００５９】
筐体６０において１階の建物ユニット２０ｃの天井小梁２４に対向する側面６０ｂには、１階の建物ユニット２０ｃの天井小梁２４とその上方に位置する２階の建物ユニット２０ｄの床小梁２５との間を通るように延びる支持棒６１がそれぞれ固定されている。支持棒６１は上下スライド機構６２にそれぞれ連結されている。上下スライド機構６２は、電気駆動されて支持棒６１を天井小梁２４と床小梁２５との間で上下動させる。このため、上下スライド機構６２により、筐体６０を上下に移動させることができる。なお、図５（ａ）は筐体６０を最も上昇させた状態を示し、図５（ｂ）は筐体６０を最も下降させた状態を示している。
【００６０】
上下スライド機構６２は、天井小梁２４及び床小梁２５に対して筐体６０と反対側に固定されている。このため、上下スライド機構６２が天井小梁２４及び床小梁２５に対して筐体６０と同じ側に固定される場合と比較して、上下スライド機構６２を設置するスペースの分だけ筐体６０を大きくすることができるとともに、２つの上下スライド機構６２の間隔を大きくして安定して筐体６０を支持することができる。
【００６１】
筐体６０の上方において、２階の建物ユニット２０ｄの床下地材３２及び床仕上げ材３４には床開口部３５ａが形成され、床開口部３５ａを通じて筐体６０の内部と２階の建物ユニット２０ｄの室内空間１９とが連通可能になっている。このため、２階の建物ユニット２０ｄの室内空間１９から筐体６０を使用することができる。筐体６０には、プロジェクター等の電子機器や種々のライト等が設置され、その用途に応じて開口部等が形成される。
【００６２】
以上、詳述した本実施形態によれば、以下の優れた効果が得られる。なお、第１の実施形態と異なる効果を中心に記載する。
【００６３】
１階の建物ユニット２０ｃにおいて室内空間１８の天井３７ｃに天井開口部３８ａが形成され、棚５０は、建物ユニット２０ｃの複数の天井小梁２４間を通して天井開口部３８ａから下降可能なように設けられている。また、１階の建物ユニット２０ｃにおいて室内空間１８の落天井３７ｄに天井開口部３８ｂが形成され、筐体６０は、建物ユニット２０ｃの複数の天井小梁２４間を通して天井開口部３８ｂから下降可能なように設けられている。このため、階間に設けられた棚５０及び筐体６０を天井小梁２４の下端よりも下まで移動させることができる。その結果、階間の空間を高い自由度で利用することができる。さらに、建物ユニット２０ｃの室内空間１８の天井が２段に形成され、２段の天井のうち落天井３７ｄに天井開口部３８ｂが形成されているため、落天井３７ｄの上の空間により筐体６０の利用範囲を拡大することができるとともに、筐体６０を低い位置に設けることができる。その結果、筐体６０を使用する際の利便性を向上させることができる。
【００６４】
１階の建物ユニット２０ｃにおいて室内空間１８の天井３７ｃ付近は、実質的に利用されない空間となっている。このため、天井３７ｃ付近に何か物が配置されていたとしても、建物１０の利用に際して支障を来たすことは少ない。
【００６５】
この点、本実施形態では、棚５０を最も上昇させた状態において、棚５０の下端が天井開口部３８ａの下端よりも下に位置するため、実質的に利用されない空間により棚５０の利用範囲を拡大することができる。
【００６６】
筐体６０の上方において、２階の建物ユニット２０ｄの床下地材３２及び床仕上げ材３４には床開口部３５ａが形成され、床開口部３５ａを通じて筐体６０の内部と２階の建物ユニット２０ｄの室内空間１９とが連通可能になっている。さらに、１階の建物ユニット２０ｃにおいて室内空間１８の落天井３７ｄに天井開口部３８ｂが形成され、筐体６０は、建物ユニット２０ｃの複数の天井小梁２４間を通して天井開口部３８ｂから下降可能なように設けられている。このため、２階の建物ユニット２０ｄの室内空間１９から１階の建物ユニット２０ｃの室内空間１８までを貫通させて高い自由度で利用することができる。
【００６７】
上記の各実施形態に限らず、以下のように変形して実施することもできる。
【００６８】
上記第１の実施形態では、２階の建物ユニット２０ｂの複数の床小梁２５によって収納ボックス４０を支持するようにしたが、２階の建物ユニット２０ｂの床大梁２３ａ，２３ｂによって収納ボックス４０を支持することもできる。また、１階の建物ユニット２０ａの天井小梁２４及び天井大梁２２ａ，２２ｂによって収納ボックス４０を支持することもできる。この場合に、収納ボックス４０を支持する天井小梁のみを剛性の高いものに代えてもよい。
【００６９】
第１の実施形態では、ケースを収納ボックス４０として利用したが、ケースが浴室ユニット３０の上方に設けられる場合には、浴室１６内の熱や湯船の湯を利用することが容易となる。このため、常温以上で使用されることが望ましい機能ユニットを設けるのに適しており、ケースを、植物を栽培する植栽ユニットとして利用したり、電力を供給・充電する蓄電池の収納庫として利用したり、生ごみ処理ユニットとして利用することが有効である。このようなケースは、上記の他にも、掘ごたつの堀部分，サービスヤード，上階の玄関たたき等、任意の用途に利用することができる。また、ケースの用途に応じてケースの形状を任意に変更することができる。
【００７０】
特に、植栽ユニットの植物を栽培する鉢としてケースが利用される場合には、１階の建物ユニット２０ａの天井小梁２４の下端よりも下までケースが延びるように形成されることにより、土壌部分をより下方に設けて植栽ユニット内の土壌の上面を低くすることができる。その結果、植栽ユニットが床面上に設置されている場合と比較して、ケースで栽培する植物を観賞し易くなる。また、このようにケースを植栽ユニットとして利用する際には、ケース内の換気を行う換気機構を設けたり、ケースの上方に採光窓を設けたり、ガラス等の可視仕切り壁を設けたりすることが望ましい。
【００７１】
上記実施形態では、１階の建物ユニットと２階の建物ユニットとの間の階間構造について説明したが、上階ユニットと下階ユニットとを上下に隣接させて配置した任意の階の階間構造において実施することができる。
【００７２】
上記実施形態では、ユニット式建物として２階建ての住宅を採用したが、マンションや工場等の建物を採用することもできる。
【符号の説明】
【００７３】
２０ａ…下階ユニットとしての１階の建物ユニット、２０ｂ…上階ユニットとしての２階の建物ユニット、２４…天井梁としての天井小梁、２５…床梁としての床小梁、３０…浴室ユニット、４０…ケースとしての収納ボックス。
【図１】
2010159610.tif 000003
【図２】
2010159610.tif 000004
【図３】
2010159610.tif 000005
【図４】
2010159610.tif 000006
【図５】
2010159610.tif 000007
【図６】
2010159610.tif 000008